(57)【要約】【課題】残像の発生を低減することの可能な液晶表示装置を提供する。【解決手段】映像信号Ｄｉｎ（ｎ−１），Ｄｉｎ（ｎ）と、蒸着方向情報３０Ａとに基づいて、水平方向差分および垂直方向差分が算出される。算出された水平方向差分および垂直方向差分が所定の閾値以上となっている場合に、その差分の算出元の２つの画素１１のうち所定の規定に基づいて選択した方の画素１１の位置情報（Ａ（ｎ），Ａ（ｎ−１））が抽出される。位置情報Ａ（ｎ−１）から位置情報Ａ（ｎ）を減算して位置情報Ｂ1（ｎ）が導出されたのち、位置情報Ｂ1（ｎ）から、所定の閾値を超える画素１１の位置情報Ｂ2（ｎ）が算出される。映像信号Ｄｉｎ（ｎ）と、位置情報Ｂ2（ｎ）と、重み付け情報３０Ｂとに基づいて補正量Ｃ（ｎ）が変えられる。映像信号Ｄｉｎ（ｎ）に、補正量Ｃ（ｎ）が加算され、表示信号Ｄｏｕｔ（＝Ｄｉｎ（ｎ）＋Ｃ（ｎ））が生成される。【選択図】図５
2010191157.tif 000002
【特許請求の範囲】
【請求項１】
マトリクス状に配置された複数の画素と、
前記複数の画素をアクティブ駆動する駆動回路と
を備え、
前記各画素は、画素電極、第１配向膜、液晶層、第２配向膜および対向電極を含む積層構造となっており、
前記液晶層は、垂直配向性を有する液晶分子を含み、
前記第１配向膜および前記第２配向膜は、無機材料を斜方蒸着することにより形成された無機配向膜であり、
前記駆動回路は、
前記無機配向膜の蒸着方向を考慮して、互いに隣接する２つの画素の第１映像信号の差分をとることにより第１差分を算出したのち、前記第１差分が所定の閾値以上となっている場合に、その差分の算出元の２つの画素のうち前記無機配向膜の蒸着方向に対応した方の画素の第１位置情報を抽出する第１算出部と、
前記無機配向膜の蒸着方向を考慮して、互いに隣接する２つの画素の、前記第１映像信号よりも１フィールド前の第２映像信号の差分をとることにより第２差分を算出したのち、前記第２差分が閾値以上となっている場合に、その差分の算出元の２つの画素のうち前記無機配向膜の蒸着方向に対応した方の画素の第２位置情報を抽出する第２算出部と、
前記第１位置情報と前記第２位置情報とに基づいて第３位置情報を算出する第３算出部と、
前記第３位置情報に対応する画素の前記第１映像信号に所定の補正量を加算することにより第３映像信号を算出する第４算出部と
を有する液晶表示装置。
【請求項２】
前記第１配向膜は、前記画素電極および前記対向電極に電圧が印加されていない場合に、当該液晶表示装置の正面方向から見たときに、前記液晶分子を面内の第１方向に傾かせる配向性を有し、
前記第２配向膜は、前記画素電極および前記対向電極に電圧が印加されていない場合に、当該液晶表示装置の正面方向から見たときに、前記液晶分子を前記第１方向とは真逆の方向に傾かせる配向性を有する
請求項１に記載の液晶表示装置。
【請求項３】
前記第１方向が水平方向成分を有する場合には、前記第１算出部は、水平方向に隣接する２つの画素の第１映像信号の差分をとることにより前記第１差分を算出すると共に、前記第２算出部は、水平方向に隣接する２つの画素の第２映像信号の差分をとることにより前記第２差分を算出する
請求項２に記載の液晶表示装置。
【請求項４】
前記第１方向が垂直方向成分を有する場合には、前記第１算出部は、垂直方向に隣接する２つの画素の第１映像信号の差分をとることにより前記第１差分を算出すると共に、前記第２算出部は、垂直方向に隣接する２つの画素の第２映像信号の差分をとることにより前記第２差分を算出する
請求項２に記載の液晶表示装置。
【請求項５】
前記第４算出部は、前記第２映像信号に基づいて前記補正量を変える
請求項１ないし請求項４のいずれか一項に記載の液晶表示装置。
【請求項６】
前記第４算出部は、前記第２映像信号のうち前記第３位置情報に対応する画素の色情報に基づいて前記補正量を変える
請求項１ないし請求項４のいずれか一項に記載の液晶表示装置。
【請求項７】
前記第４算出部は、前記画素の温度情報に基づいて前記補正量を変える
請求項１ないし請求項４のいずれか一項に記載の液晶表示装置。
【発明の詳細な説明】
【技術分野】
【０００１】
本発明は、補正された映像信号を利用して映像を表示する液晶表示装置に関する。
【背景技術】
【０００２】
映像を表するデバイスに用いられる表示素子として、半導体駆動素子基板と透明電極基板との間に配向膜を介して液晶層が設けられたアクティブ型の液晶表示素子が知られている（例えば、特許文献１参照）。半導体駆動素子基板は、半導体基板に回路駆動用の駆動素子や画素電極などが設けられたものである。一方、透明電極基板は、透明基板に透明電極などが設けられたものである。配向膜は、液晶分子を所定の配向状態となるように配向させるためのものである。
【０００３】
この液晶表示素子では、画素電極と透明電極との間に電圧が印加されると、それらの電極間の電位差に応じて液晶分子の配向状態が変化し、それに伴って液晶層の光学的特性が変化する。これにより、液晶層の光学的特性の変化を利用して光の変調を行うことができるので、この液晶表示素子を利用して映像を表示することができる。
【０００４】
この液晶表示素子のうち、特に、垂直配向性を有する液晶（いわゆる垂直配向液晶） を利用したものは、コントラストが高く、かつ応答速度も速いので、表示性能を向上し得るものとして注目されている。この垂直配向液晶を利用した場合には、印加電圧がゼロのときに液晶分子が半導体駆動素子基板の基板面に対して垂直に配向するので、いわゆるノーマリーブラックモードと呼ばれる表示状態が得られる。一方、電圧が印加されると液晶分子が基板面に対して傾斜し、光の透過率が変化する。この場合には、特に、傾斜時に液晶分子の傾斜方向が一様でないと明暗のむらが生じるので、その明暗のむらが生じないようにするために、あらかじめ一定方向に僅かな角度（プレティルト角）だけ傾斜させた状態で液晶分子を配向させる必要がある。
【０００５】
所望の配向状態となるように垂直配向液晶を配向させる方法としては、ポリイミドに代表される有機配向膜を使用する方法と、酸化ケイ素に代表される無機配向膜を使用する方法とがある。前者は、有機材料膜をラビングすることにより配向状態を制御するものであり、後者は、無機材料膜を斜方蒸着することにより配向状態を制御するものである。無機配向膜は、表示画像の高輝度化を実現し得るものとして注目されている。
【０００６】
昨今では、表示画像の高輝度化を実現するために光源のパワーが上昇しており、配向膜が高強度の光に晒される傾向にある。そのため、プロジェクタの表示性能を長期に渡って確保する観点からは、低耐光性の有機配向膜よりも高耐光性の無機配向膜を使用するのが好ましい。無機配向膜を使用する場合には、酸化ケイ素を斜方蒸着する際に、その蒸着粒子の入射角度を変化させることによりプレティルト角を制御することが可能である。
【先行技術文献】
【特許文献】
【０００７】
【特許文献１】特開平７−３０１７７８号公報
【発明の概要】
【発明が解決しようとする課題】
【０００８】
近年、表示画像の高輝度化だけでなく、高精細化も求められており、光源のパワーだけでなく、画素の開口率も大きくなる傾向にある。開口率を大きくするためには、画素内の遮光領域を小さくすることが必要となる。しかし、垂直配向液晶を用いた場合に、遮光領域をあまり小さくすると、画素間に発生する横方向電界に起因した配向乱れが表示領域内で生じ、動画の表示に際して残像が見えてしまうという問題があった。
【０００９】
本発明は、かかる問題点に鑑みてなされたものであり、その目的は、残像の発生を低減することの可能な液晶表示装置を提供することにある。
【課題を解決するための手段】
【００１０】
本発明の液晶表示装置は、マトリクス状に配置された複数の画素と、複数の画素をアクティブ駆動する駆動回路とを備えたものである。各画素は、画素電極、第１配向膜、液晶層、第２配向膜および対向電極を含む積層構造となっている。液晶層は、垂直配向性を有する液晶分子を含んでおり、第１配向膜および第２配向膜は、無機材料を斜方蒸着することにより形成された無機配向膜である。駆動回路は、第１算出部、第２算出部、第３算出部および第４算出部を有している。第１算出部は、まず、無機配向膜の蒸着方向を考慮して、互いに隣接する２つの画素の第１映像信号の差分をとることにより第１差分を算出するようになっている。第１算出部は、さらに、第１差分が所定の閾値以上となっている場合に、その差分の算出元の２つの画素のうち無機配向膜の蒸着方向に対応した方の画素の第１位置情報を抽出するようになっている。第２算出部は、まず、無機配向膜の蒸着方向を考慮して、互いに隣接する２つの画素の、第１映像信号よりも１フィールド前の第２映像信号の差分をとることにより第２差分を算出するようになっている。第２算出部は、さらに、第２差分が閾値以上となっている場合に、その差分の算出元の２つの画素のうち無機配向膜の蒸着方向に対応した方の画素の第２位置情報を抽出するようになっている。第３算出部は、第１位置情報と第２位置情報とに基づいて第３位置情報を算出するようになっている。第４算出部は、第３位置情報に対応する画素の第１映像信号に所定の補正量を加算することにより第３映像信号を算出するようになっている。
【００１１】
本発明の液晶表示装置では、第１映像信号および蒸着方向に基づいて第１位置情報が抽出されると共に、第２映像信号および蒸着方向に基づいて第２位置情報が抽出される。ここで、第１位置情報は、第１映像信号に基づいて映像を表示した際に、画素間に発生する横方向電界に起因した配向乱れが生じ得る画素の位置情報に対応する。一方、第２位置情報は、第２映像信号に基づいて映像を表示した際に、画素間に発生する横方向電界に起因した配向乱れが生じ得る画素の位置情報に対応する。そのため、第１位置情報と第２位置情報とに基づいて第３位置情報を算出することにより、動画の表示に際して残像として表示され得る画素の位置情報を算出することが可能である。
【発明の効果】
【００１２】
本発明の液晶表示装置によれば、第１映像信号、第２映像信号および蒸着方向を利用して、動画の表示に際して残像として表示され得る画素の位置情報を算出し、その位置情報に対応する画素の第１映像信号に所定の補正量を加算するようにした。これにより、動画の表示に際して生じ得る残像の発生を低減することができる。
【図面の簡単な説明】
【００１３】
【図１】本発明の一実施の形態の液晶表示装置の概略構成図である。
【図２】図１の液晶表示パネルの断面構成図である。
【図３】図２の液晶層の拡大図である。
【図４】液晶分子のプレティルト角ついて説明するための模式図である。
【図５】図１の映像信号処理部を機能ブロックごとに分けて表した機能ブロック図である。
【図６】配向乱れが表示領域内で生じ得る画素の位置情報を導出する様子の一例を表した概念図である。
【図７】配向乱れが表示領域内で生じ得る画素の位置情報を導出する様子の他の例を表した概念図である。
【図８】配向乱れが動画の表示に際して残像として表示され得る画素の位置情報を導出する様子を表した概念図である。
【図９】配向乱れが動画の表示に際して残像として表示され得る画素に対応した映像信号の補正量を導出する様子を表した概念図である。
【図１０】画素間に横方向電界が発生しているときの液晶分子の配向の様子を表した模式図である。
【図１１】表示領域内に生じる表示乱れを表した模式図である。
【図１２】動画の表示に際して残像が生じる様子を表した模式図である。
【図１３】補正対象の画素の位置について説明するための概念図である。
【図１４】一適用例に係る画像表示装置の概略構成図である。
【発明を実施するための形態】
【００１４】
以下、本発明を実施するための形態について、図面を参照して詳細に説明する。なお、説明は以下の順序で行う。
１．実施の形態（液晶表示装置）
２．適用例（プロジェクタ）
３．変形例
【００１５】
＜実施の形態＞
［概略構成］
図１は、本発明の一実施の形態に係る液晶表示装置１の全体構成の一例を表したものである。この液晶表示装置１は、液晶表示パネル１０と、バックライト２０と、映像信号処理部３０と、データドライバ４０と、ゲートドライバ５０と、タイミング制御部６０とを備えたものである。なお、映像信号処理部３０、データドライバ４０、ゲートドライバ５０、タイミング制御部６０、および後述の画素回路が、本発明の「駆動回路」の一具体例に相当する。
【００１６】
（液晶表示パネル１０）
液晶表示パネル１０は、複数の画素１１が液晶表示パネル１０の表示部（図示せず）全体に渡ってマトリクス状に形成されたものであり、各画素１１をデータドライバ４０およびゲートドライバ５０によってアクティブ駆動することにより、外部から入力された映像信号Ｄｉｎに基づく画像を表示するものである。上記の映像信号Ｄｉｎは、１フィールドごとに表示部１０に表示する映像のデジタル信号であり、画素１１ごとのデジタル信号を含んでいる。
【００１７】
図２は、液晶表示パネル１０の一部の断面構成の一例を表したものである。液晶表示パネル１０は、互いに対向する一対の基板の間に、配向膜を介して液晶層が設けられた積層構造となっている。具体的には、表示部１０は、ＴＦＴ(thin film transistor)基板１２（半導体駆動素子基板）、画素電極１３、配向膜１４、液晶層１５、配向膜１６、対向電極１７、ブラックマトリクス層１８および対向基板１９（透明電極基板）をこの順に有している。表示部１０のうち、画素電極１３に対応する部分（図中の破線で囲まれた部分）が画素１１に相当する。つまり、各画素１１が、画素電極１３、配向膜１４、液晶層１５、配向膜１６および対向電極１７の積層構造となっている。
【００１８】
ＴＦＴ基板１２は、例えば、基板上に、アクティブ型の画素回路を有するものである。画素回路は、例えば、画素１１ごとに形成されたＴＦＴおよび容量素子を含んで構成されており、各画素１１をアクティブ駆動することが可能となっている。画素回路の形成された基板は、例えば、単結晶シリコン基板、または、可視光に対して透明な基板（例えば板ガラス）である。対向基板１９は、可視光に対して透明な基板、例えば板ガラスからなる。
【００１９】
画素電極１３および対向電極１７は、例えばＩＴＯ（Indium Tin Oxide；酸化インジウムスズ）などの透明導電膜からなる。画素電極１３は、例えば、ＴＦＴ基板１２上にマトリクス状に配列されたものであり、画素１１ごとの電極として機能する。対向電極１７は、対向基板１９のうち画素１１との対向領域全体に渡って形成されており、全ての画素１１に対して共通に用いられる電極として機能する。
【００２０】
配向膜１４，１６は、液晶層１５に含まれる液晶分子１５Ａ（図３参照）を所定の配向状態となるように配向させるものである。配向膜１４（第１配向膜）は、画素電極１３を含むＴＦＴ基板１２の表面を覆っており、配向膜１６（第２配向膜）は、対向電極１７の表面全体を覆っている。配向膜１４，１６は、酸化ケイ素などの無機材料によって形成された無機配向膜であり、無機材料を斜方蒸着することにより形成されたものである。斜方蒸着とは、ターゲットの面に対して斜め方向から蒸着粒子を供給することにより成膜する方法のことである。蒸着粒子の、ターゲットの面への入射角度を変化させることにより、液晶分子１５Ａのプレティルト角θ（後述）を制御することが可能である。
【００２１】
液晶層１５は、画素電極１３および対向電極１７に対する電圧印加に応じて配向状態を変化させることにより、当該液晶層１５への入射光を変調するものである。液晶層１５は、図３に示したように、形状異方性を有する液晶分子１５Ａを含んでいる。液晶分子１５Ａは、垂直配向性を有する液晶分子、すなわち、ＶＡ（Vertical Alignment）モードの液晶分子である。液晶分子１５Ａは、電界に対して垂直方向に配向する性質を有している。液晶分子１５Ａは、画素電極１３および対向電極１７への電圧印加によって、ＴＦＴ基板１２の表面に対して垂直な方向に電界が印加されたときに、ＴＦＴ基板１２の表面と平行な方向に向かって配向する性質を有している。液晶分子１５Ａは、印加電圧が０（ゼロ）の状態において、配向膜１４，１６の影響を受けて、ＴＦＴ基板１２の表面に対してほぼ垂直に配向する性質を有している。つまり、液晶層１５は、いわゆるノーマリーブラックモードの液晶層である。
【００２２】
液晶分子１５Ａは、厳密には、例えば、図３に示したように、印加電圧がゼロの状態において、配向膜１４，１６の影響を受けて、所定の方向に僅かな角度で傾いている。この僅かな傾き（プレティルト角θ）が、画素電極１３および対向電極１７への電圧印加によって、ＴＦＴ基板１２の表面に対して垂直な方向に電界が印加されたときに、液晶分子１５Ａが配向し易い方向を規定する。
【００２３】
つまり、配向膜１４は、例えば、図３に示したように、印加電圧がゼロの状態において、液晶表示パネル１０の正面方向から見たときに、液晶分子１５Ａを面内の一の方向Ｄ1（第１方向）にプレティルト角θだけ傾かせる配向性を有している。配向膜１６は、例えば、図３に示したように、印加電圧がゼロの状態において、液晶表示パネル１０の正面方向から見たときに、第１方向Ｄ1とは真逆の方向Ｄ2にプレティルト角θだけ傾かせる配向性を有している。従って、液晶層１５に含まれる液晶分子１５Ａは、例えば、図３に示したように、配向膜１４の法線ＡＸとの関係で第１方向Ｄ1にプレティルト角θだけ傾いている。
【００２４】
なお、図４（Ａ）に示したように、液晶分子１５Ａが、ＴＦＴ基板１２の表面と平行なＸＹ平面において第１象限の方向に角度αで傾いている場合には、液晶分子１５Ａがプレティルト角θで傾いている方向Ｄ1も、第１象限の方向を向いている。このとき、方向Ｄ1が、配向膜１４の蒸着方向に対応しており、正の水平方向成分と、正の垂直方向成分を有している。また、図４（Ｂ）に示したように、液晶分子１５Ａが、ＴＦＴ基板１２の表面と平行なＸＹ平面において第３象限の方向に角度βで傾いている場合には、液晶分子１５Ａがプレティルト角θで傾いている方向Ｄ1も、第３象限の方向を向いている。このとき、方向Ｄ1が、配向膜１４の蒸着方向に対応しており、負の水平方向成分と、負の垂直方向成分を有している。
【００２５】
ブラックマトリクス層１８は、例えば、遮光部１８Ａおよび光透過部１８Ｂを有している。遮光部１８Ａは、画素電極１３との対向部分に開口を有しており、その開口内に光透過部１８Ｂが配置されている。これにより、ブラックマトリクス層１８は、液晶層１５を透過してきた光のうち画素電極１３に対応する部分からの光を選択的に透過し、液晶層１５を透過してきた光のうち画素電極１３同士の間隙に対応する部分からの光を選択的に遮断する機能を有する。
【００２６】
バックライト２０は、液晶表示パネル１０に対して光を照射する光源であり、例えばＣＣＦＬ（Cold Cathode Fluorescent Lamp：冷陰極蛍光ランプ）やＬＥＤ（Light Emitting Diode：発光ダイオード）などを含んで構成されている。
【００２７】
データドライバ４０は、液晶表示パネル１０の各画素１１へ、タイミング制御部６０から供給される１ライン分の映像信号に基づく駆動電圧を供給するものである。具体的には、このデータドライバ５１は、１ライン分の映像信号に対してそれぞれＤ／Ａ変換を施すことにより、アナログ信号である映像信号を生成し、各画素１１へ出力するようになっている。
【００２８】
ゲートドライバ５０は、タイミング制御部６０によるタイミング制御に従って、液晶表示パネル１０内の各画素１１を図示しない走査線に沿って線順次駆動するものである。
【００２９】
映像信号処理部３０は、外部から入力された映像信号Ｄｉｎに対して所定の画像処理を施すと共に、所定の画像処理を施した後の映像信号Ｄｏｕｔをタイミング制御部６０に出力するものである。上記の映像信号Ｄｏｕｔは、映像信号Ｄｉｎと同様、画素１１ごとのデジタル信号を含んでいる。
【００３０】
次に、映像信号処理部３０の内部構成について説明する。図５は、映像信号処理部３０を機能ブロックごとに分けて記述したものである。映像信号処理部３０は、例えば、図５に示したように、フィールドメモリ３１、水平垂直差分検出回路３２、フィールド間差分検出回路３３、補正量算出回路３４、遅延回路３５および加算回路３６を有している。
【００３１】
フィールドメモリ３１は、外部から入力された映像信号Ｄｉｎを、次の映像信号Ｄｉｎが外部から入力されるまでの間、保持するものである。従って、映像信号処理部３０に、映像信号Ｄｉｎとして入力順番ｎの映像信号Ｄｉｎ（ｎ）（第１映像信号）が入力された際には、水平垂直差分検出回路３２は映像信号Ｄｉｎとして入力順番ｎ−１の映像信号Ｄｉｎ（ｎ−１）（第２映像信号）を保持している。ここで、ｎは、映像信号Ｄｉｎの入力順番を意味する正数である。従って、映像信号Ｄｉｎ（ｎ−１）は、映像信号Ｄｉｎ（ｎ）との関係では、１フィールド前の映像信号Ｄｉｎに相当する。
【００３２】
水平垂直差分検出回路３２は、画素１１間に発生する横方向電界に起因した配向乱れが表示領域内で生じ得る画素１１の位置情報を導出するものである。水平垂直差分検出回路３２は、外部から入力された映像信号Ｄｉｎ（ｎ）から、配向乱れが生じ得る位置情報Ａ（ｎ）（第１位置情報）を導出するものである。また、水平垂直差分検出回路３２は、フィールドメモリ３１から読み出した映像信号Ｄｉｎ（ｎ−１）から、配向乱れが生じ得る画素１１の位置情報Ａ（ｎ−１）（第２位置情報）を導出するものでもある。
【００３３】
水平垂直差分検出回路３２は、配向膜１４，１６の蒸着方向を考慮して、互いに隣接する２つの画素の映像信号Ｄｉｎ（ｎ）の差分を算出する。具体的には、水平垂直差分検出回路３２は、まず、蒸着方向情報３０Ａが、方向Ｄ1が水平方向成分を有していることを示す情報である場合には、映像信号Ｄｉｎ（ｎ）から、水平方向に隣接する２つの画素１１の映像信号Ｄｉｎの差分（水平方向差分, 第１差分）を算出する。また、水平垂直差分検出回路３２は、蒸着方向情報３０Ａが、方向Ｄ1が垂直方向成分を有していることを示す情報である場合には、垂直方向に互いに隣接する２つの画素１１の映像信号Ｄｉｎの差分（垂直方向差分, 第１差分）を算出する。次に、水平垂直差分検出回路３２は、算出した差分（水平方向差分，垂直方向差分）が所定の閾値以上となっている場合に、その差分の算出元の２つの画素１１のうち所定の規定に基づいて選択した方の画素１１の位置情報を抽出する。この位置情報を含んだものが上述した位置情報Ａ（ｎ）に相当する。上記の所定の閾値は、例えば、白表示の映像信号から黒表示の映像信号を減算することにより得られる値である。
【００３４】
同様にして、水平垂直差分検出回路３２は、配向膜１４，１６の蒸着方向を考慮して、互いに隣接する２つの画素の映像信号Ｄｉｎ（ｎ−１）の差分を算出する。具体的には、水平垂直差分検出回路３２は、まず、蒸着方向情報３０Ａが、方向Ｄ1が水平方向成分を有していることを示す情報である場合には、映像信号Ｄｉｎ（ｎ−１）から、水平方向に隣接する２つの画素１１の映像信号Ｄｉｎの差分（水平方向差分, 第２差分）を算出する。また、水平垂直差分検出回路３２は、蒸着方向情報３０Ａが、方向Ｄ1が垂直方向成分を有していることを示す情報である場合には、垂直方向に互いに隣接する２つの画素１１の映像信号Ｄｉｎの差分（垂直方向差分, 第２差分）を算出する。次に、水平垂直差分検出回路３２は、算出した差分（水平方向差分，垂直方向差分）が所定の閾値以上となっている場合に、その差分の算出元の２つの画素１１のうち所定の規定に基づいて選択した方の画素１１の位置情報を抽出する。この位置情報を含んだものが上述した位置情報Ａ（ｎ−１）に相当する。上記の所定の閾値は、例えば、白表示の映像信号から黒表示の映像信号を減算することにより得られる値である。
【００３５】
ここで、水平方向差分は、水平垂直差分検出回路３２に入力される蒸着方向情報３０Ａを考慮して導出される。具体的には、蒸着方向情報３０Ａが、方向Ｄ1が正の水平方向成分を有していることを示す情報である場合には、例えば、着目した一の画素１１の映像信号Ｄｉｎから、その画素１１の左側の画素１１の映像信号Ｄｉｎを減算することにより水平方向差分が算出される。このとき、水平方向差分が所定の閾値以上となっている場合には、水平垂直差分検出回路３２は、例えば、着目した一の画素１１（つまり、その差分の算出元の２つの画素１１のうち右側の画素１１）の位置情報を抽出する。一方、蒸着方向情報３０Ａが、方向Ｄ1が負の水平方向成分を有していることを示す情報である場合には、例えば、着目した一の画素１１の映像信号Ｄｉｎから、その画素１１の右側の画素１１の映像信号Ｄｉｎを減算することにより水平方向差分が算出される。このとき、水平方向差分が所定の閾値以上となっている場合には、水平垂直差分検出回路３２は、例えば、着目した一の画素１１（つまり、その差分の算出元の２つの画素１１のうち左側の画素１１）の位置情報を抽出する。
【００３６】
垂直方向差分についても、水平垂直差分検出回路３２に入力される蒸着方向情報３０Ａを考慮して導出される。具体的には、蒸着方向情報３０Ａが、方向Ｄ1が正の垂直方向成分を有していることを示す情報である場合には、例えば、着目した一の画素１１の映像信号Ｄｉｎから、その画素１１の下側の画素１１の映像信号Ｄｉｎを減算することにより垂直方向差分が算出される。このとき、垂直方向差分が所定の閾値以上となっている場合には、水平垂直差分検出回路３２は、例えば、着目した一の画素１１（つまり、その差分の算出元の２つの画素１１のうち上側の画素１１）の位置情報を抽出する。一方、蒸着方向情報３０Ａが、方向Ｄ1が負の垂直方向成分を有していることを示す情報である場合には、例えば、着目した一の画素１１の映像信号Ｄｉｎから、その画素１１の上側の画素１１の映像信号Ｄｉｎを減算することにより垂直方向差分が算出される。このとき、垂直方向差分が所定の閾値以上となっている場合には、水平垂直差分検出回路３２は、例えば、着目した一の画素１１（つまり、その差分の算出元の２つの画素１１のうち上側の画素１１）の位置情報を抽出する。
【００３７】
以下に、蒸着方向情報３０Ａが、方向Ｄ1が正の水平方向成分および正の垂直方向成分を有していることを示す情報である場合の位置情報Ａ（ｎ），Ａ（ｎ−１）の具体的な内容について、図６、図７を参照して説明する。例えば、映像信号Ｄｉｎ（ｎ−１）が、図６に示したような明暗分布の映像信号Ｄｉｎを含んでいるときには、位置情報Ａ（ｎ−１）は、映像信号Ｄｉｎ（ｎ−１）中の暗部３７の上辺および右辺に接する画素１１の位置に対応して、例えば１を有している。同様に、例えば、映像信号Ｄｉｎ（ｎ）が、図７に示したような明暗分布の映像信号Ｄｉｎを含んでいるときには、位置情報Ａ（ｎ）は、映像信号Ｄｉｎ（ｎ）中の暗部３７の上辺および右辺に接する画素１１の位置に対応して、例えば１を有している。
【００３８】
フィールド間差分検出回路３３は、画素１１間に発生する横方向電界に起因して発生した配向乱れが動画の表示に際して残像として表示され得る画素１１の位置情報を導出するものである。フィールド間差分検出回路３３は、位置情報Ａ（ｎ−１）から位置情報Ａ（ｎ）を減算して位置情報Ｂ1（ｎ）を導出したのち、位置情報Ｂ1（ｎ）から、所定の閾値を超える画素１１の位置情報を算出して、動画の表示に際して残像として表示され得る位置情報Ｂ2（ｎ）（第３位置情報）を導出する。
【００３９】
以下に、蒸着方向情報３０Ａが、方向Ｄ1が正の水平方向成分および正の垂直方向成分を有していることを示す情報である場合の位置情報Ｂ2（ｎ）の具体的な内容について、図８を参照して説明する。図８は、フィールド間差分検出回路３３における演算を模式的に表したものである。位置情報Ａ（ｎ−１），Ａ（ｎ）が、図８に示したような情報を有しているときには、位置情報Ｂ1（ｎ）は、位置情報Ａ（ｎ−１）に含まれる１の位置に対応して、１を有しており、位置情報Ａ（ｎ）に含まれる１の位置に対応して、−１を有している。なお、位置情報Ａ（ｎ−１）に含まれる１の位置と、位置情報Ａ（ｎ）に含まれる１の位置とが重複する箇所については、上述した差分処理によって０（ゼロ）となっている。また、位置情報Ｂ2（ｎ）は、所定の閾値が０（ゼロ）と設定されていた場合には、位置情報Ｂ1（ｎ）に含まれる１の位置に対応して、１を有している。位置情報Ｂ2（ｎ）に含まれる１の位置は、図７の暗部３７の上辺および右辺のいずれにも接していない画素１１の位置に対応している。
【００４０】
補正量算出回路３４は、動画の表示に際して残像として表示され得る画素１１に対応した映像信号Ｄｉｎの補正量を変える（算出する）ものである。補正量算出回路３４は、例えば、図９に示したように、映像信号Ｄｉｎ（ｎ）、位置情報Ｂ2（ｎ）および重み付け情報３０Ｂに基づいて、動画の表示に際して残像として表示され得る画素１１への補正量Ｃ（ｎ）を変える（算出する）。上記の重み付け情報３０Ｂには、例えば、色情報、透過率特性および温度情報の少なくとも１つが含まれている。ここで、色情報とは、映像信号Ｄｉｎ（ｎ）のうち位置情報Ｂ2（ｎ）に対応する画素１１の映像信号Ｄｉｎの色情報を指す。透過率特性とは、映像信号Ｄｉｎ（ｎ）のうち位置情報Ｂ2（ｎ）に対応する画素１１の透過率特性を指す。温度情報とは、液晶表示パネル１の温度（画素１１の温度）についての情報である。
【００４１】
遅延回路３５は、補正量算出回路３４において補正量Ｃ（ｎ）が変えられる（算出される）までの間、映像信号Ｄｉｎ（ｎ）を保持するものである。また、遅延回路３５は、補正量算出回路３４から加算回路３６に補正量Ｃ（ｎ）が出力されるタイミングに合わせて、映像信号Ｄｉｎ（ｎ）を出力するものである。
【００４２】
加算回路３６は、遅延回路３５から入力された映像信号Ｄｉｎ（ｎ）に、補正量算出回路３４から入力された補正量Ｃ（ｎ）を加算するものである。また、加算回路３６は、加算により得られた映像信号（Ｄｉｎ（ｎ）＋Ｃ（ｎ））（第３映像信号）を表示信号Ｄｏｕｔ（ｎ）として出力するものでもある。
【００４３】
本実施の形態の液晶表示パネル１では、データドライバ４０から供給される信号電圧と、ゲートドライバ５０から供給される走査電圧とにより、マトリクス状に配置された複数の画素１１がアクティブ駆動される。ここで、データドライバ４０から供給される信号電圧は、映像信号Ｄｉｎに対して所定の補正処理を行うことにより得られた映像信号Ｄｏｕｔに基づいて設定されている。そのため、本実施の形態では、外部から入力された映像信号Ｄｉｎを直接反映した画像ではなく、補正処理のなされた映像信号Ｄｏｕｔを反映した画像が液晶表示パネル１０に表示される。
【００４４】
［補正手順］
次に、本実施の形態の液晶表示装置１における映像信号Ｄｉｎの補正手順について説明する。本実施の形態では、映像信号処理部３０において、画素間に発生する横方向電界に起因して発生した配向乱れが動画の表示に際して残像として表示され得る画素１１に対応する映像信号Ｄｉｎに対して補正がなされる。具体的には、以下の手順に従って映像信号Ｄｉｎに補正がなされる。
【００４５】
まず、水平垂直差分検出回路３２において、差分（水平方向差分，垂直方向差分）が算出される。具体的には、入力順番ｎで映像信号Ｄｉｎとして入力された映像信号Ｄｉｎ（ｎ）と、蒸着方向情報３０Ａとに基づいて、水平方向に隣接する２つの画素１１の映像信号Ｄｉｎの差分（水平方向差分）が算出される。さらに、映像信号Ｄｉｎ（ｎ）と、蒸着方向情報３０Ａとに基づいて、垂直方向に互いに隣接する２つの画素１１の映像信号Ｄｉｎの差分（垂直方向差分）が算出される。同様にして、入力順番ｎ−１で映像信号Ｄｉｎとして入力された映像信号Ｄｉｎ（ｎ−１）と、蒸着方向情報３０Ａとに基づいて、水平方向に隣接する２つの画素１１の映像信号Ｄｉｎの差分（水平方向差分）が算出される。さらに、映像信号Ｄｉｎ（ｎ−１）と、蒸着方向情報３０Ａとに基づいて、垂直方向に隣接する２つの画素１１の映像信号Ｄｉｎの差分（垂直方向差分）が算出される。
【００４６】
次に、水平垂直差分検出回路３２において、算出された差分（水平方向差分，垂直方向差分）が所定の閾値以上となっている場合に、その差分の算出元の２つの画素１１のうち所定の規定に基づいて選択した方の画素１１の位置情報が抽出される。その結果、画素間に発生する横方向電界に起因した配向乱れが表示領域内で生じ得る画素１１の位置情報（Ａ（ｎ），Ａ（ｎ−１））が導出される。
【００４７】
次に、フィールド間差分検出回路３３において、位置情報Ａ（ｎ−１）から位置情報Ａ（ｎ）を減算して位置情報Ｂ1（ｎ）が導出されたのち、位置情報Ｂ1（ｎ）から、所定の閾値を超える画素１１の位置情報が算出される。その結果、動画の表示に際して残像として表示され得る画素１１の位置情報Ｂ2（ｎ）が導出される。その後、補正量算出回路３４において、映像信号Ｄｉｎ（ｎ）と、位置情報Ｂ2（ｎ）と、重み付け情報３０Ｂとに基づいて、動画の表示に際して残像として表示され得る画素１１への補正量Ｃ（ｎ）が変えられる（算出される）。そして、加算回路３６において、映像信号Ｄｉｎ（ｎ）に、補正量Ｃ（ｎ）が加算される。その結果、表示信号Ｄｏｕｔ（＝Ｄｉｎ（ｎ）＋Ｃ（ｎ））が生成される。
【００４８】
［効果］
ところで、例えば、図１０に示したように、幅Ｄ１の遮光領域７２が表示領域７１の間に形成されていた場合に、画素１１の開口率を大きくするために、遮光領域７２の幅を幅Ｗ１よりも狭いＷ２にしたとする。なお、図１０では、説明の便宜上、ブラックマトリクス層１８が省略されているが、遮光領域７２に対応して遮光部１８Ａが形成されているものとする。このようにした場合に、例えば、図１０に示したように、一の画素電極１３に＋５Ｖを印加し、それに隣接する画素電極１３に０Ｖを印加し、対向電極１７に０Ｖを印加したときには、画素１１間に大きな横方向電界Ｅが生じる。これにより、従来では、例えば、図１１に示したように、横方向電界Ｅに起因した配向乱れ７３が、＋５Ｖを印加した画素電極１３に対応する画素１１の表示領域４０内で生じてしまう。そして、そのような配向乱れ７３が生じた状態で、動画を表示した場合には、配向乱れ７３が元の正常な状態に戻る過程で、液晶分子１５Ａの挙動が不定となる。その結果、例えば、図１２に示したように、暗部３７が左方向に移動するような動画が表示されている際に、１フィールド前に暗部３７が存在していた箇所に隣接する画素１１に残像７４が見えてしまうという問題があった。なお、残像７４の見える位置は、配向膜１４，１６の蒸着方向によって異なる。図１２には、配向膜１４，１６が、液晶分子１５Ａを図４（Ａ）に示したように第１象限の方向にプレティルト角θで傾かせる配向性を有しているときに見える残像７０が模式的に表されている。
【００４９】
一方、本実施の形態では、入力順番ｎの映像信号Ｄｉｎ（ｎ）および蒸着方向情報３０Ａに基づいて位置情報Ａ（ｎ）が抽出されると共に、入力順番ｎ−１の映像信号Ｄｉｎ（ｎ−１）および蒸着方向情報３０Ａに基づいて位置情報Ａ（ｎ−１）が抽出される。ここで、位置情報Ａ（ｎ）は、映像信号Ｄｉｎ（ｎ）に基づいて映像を表示部１０に表示した際に、画素１１間に発生する横方向電界Ｅに起因した配向乱れ７３が生じ得る画素１１の位置情報に対応する。一方、位置情報Ａ（ｎ−１）は、映像信号Ｄｉｎ（ｎ−１）に基づいて映像を表示部１０に表示した際に、画素１１間に発生する横方向電界Ｅに起因した配向乱れ７３が生じ得る画素１１の位置情報に対応する。そのため、位置情報Ａ（ｎ−１）と位置情報Ａ（ｎ）とに基づいて算出した位置情報Ｂ2（ｎ）は、動画の表示に際して残像として表示され得る画素１１の位置情報に対応する。従って、位置情報Ｂ2（ｎ）に対応する画素１１の映像信号Ｄｉｎ（ｎ）に所定の補正量を加算することにより、動画の表示に際して生じ得る残像の発生を低減することができる。
【００５０】
上述の補正は、例えば図１３（Ａ）に示したように、暗部３７の上辺および右辺のいずれにも接していない画素１１に対応する映像信号Ｄｉｎに対してなされる。具体的には、例えば図１３（Ｂ）に示したように、ｙ４の行の映像信号２１ａのうち、暗部３７のｘ座標（ｘ２〜ｘ４）とは異なるｘ座標ｘ５、ｘ６に対して、オーバードライブ電圧ΔＶが補正量Ｃ1，Ｃ2として付加される。同様に、ｙ２、ｙ３の行の映像信号２１ａのうち、暗部３７のｘ座標（ｘ２〜ｘ４）とは異なるｘ座標ｘ７に対して、オーバードライブ電圧ΔＶが補正量Ｃ3，Ｃ4として付加される。この補正のなされる位置は、従来から一般的に存在するオーバードライブ処理のなされる画素１１の位置３８（図１３（Ａ）参照）とは異なっている。従って、本実施の形態の補正処理は、従来からのオーバードライブ処理に影響を与える虞はなく、従来からのオーバードライブ処理とは独立して実施することが可能である。
【００５１】
特に、オーバードライブ処理として、エッジ強調を行う際には、位置３８の画素１１と暗部３７の画素１１との間に極めて大きな横方向電界が生じる。その場合に、エッジ強調の効果を損なうことなく、大きな横方向電界に起因した残像が動画の表示に際して生じるのを低減することができる。
【００５２】
＜適用例＞
次に、上記実施の形態の液晶表示パネル１の一適用例について説明する。本適用例にかかるプロジェクタは、上記実施の形態の液晶表示パネル１をライトバルブ（後述の空間光変調部１３０）として用いたものである。
【００５３】
図１４は、本適用例にかかるプロジェクタ１００（画像表示装置）の概略構成の一例を表したものである。このプロジェクタ１００は、例えば、図示しない情報処理装置の画面に表示されている画像をスクリーン２００上に投影するものである。
【００５４】
プロジェクタ１００は、例えば、３板式の透過型プロジェクタであり、例えば、図１４に示したように、発光部１１０、光路分岐部１２０、空間光変調部１３０、合成部１４０および投影部１５０を有している。なお、本適用例の発光部１１０、光路分岐部１２０、空間光変調部１３０、合成部１４０が本発明の「画像光生成部」の一具体例に相当する。
【００５５】
発光部１１０は、空間光変調部１３０の被照射面を照射する光束を供給するものであり、例えば、白色光源のランプと、そのランプの背後に形成された反射鏡とを含んで構成されている。この発光部１１０は、必要に応じて、ランプの光１１１が通過する領域（光軸ＡＸ上）に、何らかの光学素子を有していてもよい。例えば、ランプの光軸ＡＸ上に、ランプからの光１１１のうち可視光以外の光を減光するフィルタと、空間光変調部１３０の被照射面上の照度分布を均一にするオプティカルインテグレータとをランプ側からこの順に設けることが可能である。
【００５６】
光路分岐部１２０は、発光部１１０から出力された光１１１を波長帯の互いに異なる複数の色光に分離して、各色光を空間光変調部１３０の被照射面に導くものである。光路分岐部１２０は、例えば、図１４に示したように、１つのクロスミラー１２１と、４つのミラー１２２を含んで構成されている。クロスミラー１２１は、発光部１１０から出力された光１１１を波長帯の互いに異なる複数の色光に分離する共に各色光の光路を分岐するものである。このクロスミラー１２１は、例えば、光軸ＡＸ上に配置されており、互いに異なる波長選択性を持つ２枚のミラーを互いに交差させて連結して構成されている。４つのミラー１２２は、クロスミラー１２１により光路分岐された色光（図１４では赤色光１１１Ｒ，青色光１１１Ｂ）を反射するものであり、光軸ＡＸとは異なる場所に配置されている。４つのミラー１２２のうち２つのミラー１２２は、クロスミラー１２１に含まれる一のミラーによって光軸ＡＸと交差する一の方向に反射された光（図１４では赤色光１１１Ｒ）を空間光変調部１３０Ｒ（後述）の被照射面に導くように配置されている。４つのミラー１２２のうち残りの２つのミラー１２２は、クロスミラー１２１に含まれる他のミラーによって光軸ＡＸと交差する他の方向に反射された光（図１４では青色光１１１Ｂ）を空間光変調部１３０Ｂ（後述）の被照射面に導くように配置されている。なお、発光部１１０から出力された光１１１のうちクロスミラー１２１を透過して光軸ＡＸ上を通過する光(図１４では緑色光１１１Ｇ)は、光軸ＡＸ上に配置された空間光変調部１３０Ｇ（後述）の被照射面に入射するようになっている。
【００５７】
空間光変調部１３０は、図示しない情報処理装置から入力された映像信号Ｄｉｎに応じて、複数の色光を色光ごとに変調して色光ごとに変調光を生成するものである。この空間光変調部１３０は、例えば、赤色光１１１Ｒを変調する空間光変調部１３０Ｒと、緑色光１１１Ｇを変調する空間光変調部１３０Ｇと、青色光１１１Ｂを変調する空間光変調部１３０Ｂとを含んでいる。なお、空間光変調部１３０Ｒ、緑色光１１１Ｇおよび空間光変調部１３０Ｂが上記実施の形態の液晶表示パネル１によって構成されている。
【００５８】
空間光変調部１３０Ｒは、例えば、透過型の液晶パネルであり、合成部１４０の一の面との対向領域に配置されている。この空間光変調部１３０Ｒは、入射した赤色光１１１Ｒを映像信号Ｄｉｎに基づいて変調して赤画像光１１２Ｒを生成し、この赤画像光１１２Ｒを空間光変調部１３０Ｒの背後にある合成部１４０の一の面に出力するようになっている。空間光変調部１３０Ｇは、例えば、透過型の液晶パネルであり、合成部１４０の他の面との対向領域に配置されている。この空間光変調部１３０Ｇは、入射した緑色光１１１Ｇを映像信号Ｄｉｎに基づいて変調して緑画像光１１２Ｇを生成し、この緑画像光１１２Ｇを空間光変調部１３０Ｒの背後にある合成部１４０の他の面に出力するようになっている。空間光変調部１３０Ｂは、例えば、透過型の液晶パネルであり、合成部１４０のその他の面との対向領域に配置されている。この空間光変調部１３０Ｂは、入射した青色光１１１Ｂを映像信号Ｄｉｎに基づいて変調して青画像光１１２Ｂを生成し、この青画像光１１２Ｂを空間光変調部１３０Ｒの背後にある合成部１４０のその他の面に出力するようになっている。
【００５９】
合成部１４０は、複数の変調光を合成して画像光を生成するものである。この合成部１４０は、例えば、光軸ＡＸ上に配置されており、例えば、４つのプリズムを接合して構成されたクロスプリズムである。これらのプリズムの接合面には、例えば、多層干渉膜等により、互いに異なる波長選択性を持つ２つの選択反射面が形成されている。一の選択反射面は、例えば、空間光変調部１３０Ｒから出力された赤画像光１１２Ｒを光軸ＡＸと平行な方向に反射して投射部１５０の方向に導くようになっている。また、他の選択反射面は、例えば、空間光変調部１３０Ｂから出力された青画像光１１２Ｂを光軸ＡＸと平行な方向に反射して投射部１５０の方向に導くようになっている。また、空間光変調部１３０Ｇから出力された緑画像光１１２Ｇは、２つの選択反射面を透過して、投射部１５０の方向に進むようになっている。結局、合成部１４０は、空間光変調部１３０Ｒ，１３０Ｇ，１３０Ｂによってそれぞれ生成された画像光を合成して画像光１１３を生成し、生成した画像光１１３を投射部１５０に出力するように機能する。
【００６０】
投影部１５０は、合成部１４０から出力された画像光１１３をスクリーン２００上に投影して画像を表示させるものである。この投影部１５０は、例えば、光軸ＡＸ上に配置されており、例えば、投影レンズによって構成されている。
【００６１】
本適用例では、空間光変調部１３０Ｒ、緑色光１１１Ｇおよび空間光変調部１３０Ｂとして、上記実施の形態の液晶表示パネル１が用いられている。これにより、画素１１間に発生する横方向電界に起因して発生した配向乱れが動画の表示に際して残像として表示され得る画素１１に対応する映像信号Ｄｉｎに対して補正がなされる。その結果、画素１１間に発生する横方向電界に起因した残像が動画の表示に際して生じるのを低減することができる。
【００６２】
また、本適用例では、上記実施の形態で述べたように、残像の補正が暗部３７に接していない画素１１に対応する映像信号Ｄｉｎに対してなされる。従って、本適用例の補正処理は、従来からのオーバードライブ処理に影響を与える虞はなく、従来からのオーバードライブ処理とは独立して実施することが可能である。その結果、例えば、本適用例の補正処理と併せて、エッジ強調を行うことが可能となるので、大きな横方向電界に起因した残像が動画の表示に際して生じるのを低減しつつ、動画をシャープに表示することができる。
【００６３】
以上、実施の形態および適用例を挙げて本発明を説明したが、本発明はこれらに限定されず、種々の変形が可能である。
【００６４】
例えば、上記実施の形態等では、暗部３７の表示位置が変化するのに伴って、暗部３７に隣接する、明るい画素１１に生じる残像を低減する手段として本発明を適用した場合について記載されていた。しかし、暗部の中を明部が移動する場合に、明部の中（明部の外縁）に生じる残像を低減する手段として本発明を適用することはもちろん可能である。
【００６５】
また、上記実施の形態等では、方向Ｄ1が正の水平方向成分を有している場合に、着目した一の画素１１の映像信号Ｄｉｎから、その画素１１の左側の画素１１の映像信号Ｄｉｎを減算することにより水平方向差分を算出することが例示されていた。しかし、蒸着方法によっては、着目した一の画素１１の映像信号Ｄｉｎから、その画素１１の右側の画素１１の映像信号Ｄｉｎを減算することにより水平方向差分を算出する方が好ましい場合がある。従って、蒸着方法に応じて、差分のとり方を規定することが好ましい。なお、上記の場合に、水平方向差分が所定の閾値以上となっているときには、例えば、着目した一の画素１１（つまり、その差分の算出元の２つの画素１１のうち左側の画素１１）の位置情報を抽出することになる。
【００６６】
また、上記適用例では、液晶表示パネル１０が透過型の液晶パネルとなっていたが、反射型の液晶表示パネルとなっていてもよい。ただし、その場合には、液晶表示パネル１０の配置が上述の位置とは異なる。
【００６７】
また、上記適用例では、液晶表示装置をプロジェクタに適用する場合について記載されていたが、他の表示デバイスに適用することはもちろん可能である。
【符号の説明】
【００６８】
１…液晶表示装置、１０…液晶表示パネル、１１…画素、１２…ＴＦＴ基板、１３…画素電極、１４，１６配向膜、１５…液晶層、１５Ａ…液晶分子、１７…対向電極、１８…ブラックマトリクス層、１８Ａ…遮光部、１８Ｂ…光透過部、２０…バックライト、Ｄｉｎ…映像信号、２１…タイミング制御回路、２１ａ，２１ｂ，２１ｃ…制御信号、２１Ａ…表示信号生成回路、２１Ｂ…表示信号保持制御回路、２２…水平駆動回路、２３…書き込み走査回路、３０…映像信号処理部、３０Ａ…蒸着方向情報、３０Ｂ…重み付け情報、３１…フィールドメモリ、３２…水平垂直差分検出回路、３３…フィールド間差分検出回路、３４…補正量算出回路、３５…遅延回路、３６…加算回路、３７…蒸着方向情報、３８…位置、４０…データドライバ、５０…ゲートドライバ、６０…タイミング制御部、７１…表示領域、７２…遮光領域、７３…配向乱れ、７４…残像、１００…プロジェクタ、２００…スクリーン、１１０…発光部、１１１…光、１１１Ｒ…赤色光、１１１Ｇ…緑色光、１１１Ｂ…青色光、１１２Ｒ…赤色画像光、１１２Ｇ…緑色画像光、１１２Ｂ…青色画像光、１１３…画像光、１２０…光路分岐部、１２１…クロスミラー、１２２…ミラー、１３０，１３０Ｒ，１３０Ｇ，１３０Ｂ…空間光変調部、１４０…合成部、１５０…投影部。
【図１】
2010191157.tif 000003
【図２】
2010191157.tif 000004
【図３】
2010191157.tif 000005
【図４】
2010191157.tif 000006
【図５】
2010191157.tif 000007
【図６】
2010191157.tif 000008
【図７】
2010191157.tif 000009
【図８】
2010191157.tif 000010
【図９】
2010191157.tif 000011
【図１０】
2010191157.tif 000012
【図１１】
2010191157.tif 000013
【図１２】
2010191157.tif 000014
【図１３】
2010191157.tif 000015
【図１４】
2010191157.tif 000016